(57)【特許請求の範囲】
【請求項１】
開口部（２Ａ）の外縁に沿ってフランジ（５）が形成された容器本体（２）と、前記フランジ（５）に組み付く支持枠（１１）と、該支持枠（１１）に組み付く外縁部（１３）を有して前記開口部（２Ａ）を閉塞する蓋体（１）とを備える閉蓋具付き容器であって、前記蓋体（１）の外縁部（１３）を、前記支持枠（１１）の第１上面壁（１１ｂ）に載置される第２上面壁（１３ｂ）と、該第２上面壁（１３ｂ）から容器本体（２）の内側に垂下設されて前記支持枠（１１）の第１内周壁（１１ａ）に接する第２内周壁（１３ａ）と、前記第２上面壁（１３ｂ）から容器本体（２）の外側に垂下設されて前記支持枠（１１）の第１外周壁（１１ｃ）に接する第２外周壁（１３ｃ）とを有して形成し、
前記第１内周壁（１１ａ）は弾性変形可能に形成され、
前記第２外周壁（１３ｃ）に、前記第１外周壁（１１ｃ）の下端近傍の位置において前記第２外周壁（１３ｃ）の外方向及び内方向に反転変形する係止片（２０）を設け、前記内方向に反転変形した前記係止片（２０）で前記第２外周壁（１３ｃ）の下端を係止可能としたことを特徴とする閉蓋具付き容器。
【請求項２】
係止片（２０）は、帯状に延びる係止片本体（２０Ａ）の両端部（２１）が第２外周壁（１３ｃ）に一体に連結されると共に中央部（２２）が凸状に湾曲形成されており、前記両端部（２１）を起点として前記係止片本体（２０Ａ）が反転変形する構成とした請求項１記載の閉蓋具付き容器。
【請求項３】
蓋体（１）が支持枠（１１）に対してヒンジ（３０）を介して連結される構成とした請求項１又は２記載の閉蓋具付き容器。
【請求項４】
係止片（２０）を、蓋体（１）を構成する第２外周壁（１３ｃ）上の対称となる位置に形成した請求項１又は２記載の閉蓋具付き容器。
【請求項５】
係止片（２０）を、ヒンジ（３０）と反対側の位置に形成した請求項３記載の閉蓋具付き容器。
【請求項６】
係止片（２０）を、蓋体（１）の角部の位置に形成した請求項１乃至３のいずれか一項に記載閉蓋具付き容器。
【請求項７】
支持枠（１１）の第１内周壁（１１ａ）を二重壁構造とした請求項１乃至６のいずれか一項に記載の閉蓋具付き容器。
【発明の詳細な説明】
【技術分野】
【０００１】
本発明は、粉体状に形成した又はフィルムによって覆われた液体を略ボール状に形成した洗剤等の内容物を収納する閉蓋具付き容器に関する
【背景技術】
【０００２】
以下の特許文献１には、本発明の先行例として、蓋本体５の後部下面に等間隔に設けた第１突起６及び第２突起９を、枠体３の後壁上面に等間隔に設けた嵌合孔１４及び挿入孔１５に夫々挿入することにより、蓋本体５が枠体３に対して開閉自在に設けられた蓋付き箱に関する技術が開示されている。
特許文献１に記載の発明では、蓋本体５を閉蓋状態にするには、蓋本体５の前部下面に垂設したフック１２を、枠体３の前壁前面に設けた係止突起１８に係合させることにより行われるようになっている。
【先行技術文献】
【特許文献】
【０００３】
【特許文献１】実開平３−１７０５６号公報
【発明の概要】
【発明が解決しようとする課題】
【０００４】
しかしながら、特許文献１に記載の発明では、蓋本体を閉蓋状態にするフックと係止突起との係合強度が余り強いものではないため、誰でも簡単に開封することが可能となっている。このため、例えば幼児や認知症患者等（以下、幼児等という）が密封容器をあれこれと操作しているうちに蓋本体が開いてしまうおそれがあった。
【０００５】
また上記従来の蓋付き箱は、その技術思想上高度なシール性を維持することまでは予定していない構造である。このため、蓋付き箱内に収容する内容物が、例えば紛体状の洗剤の場合には、箱内の湿度の高まりによって洗剤同士が固形化するおそれがあるという問題があった。
【０００６】
本発明は、上記した従来技術における問題点を解消すべく、保管時に蓋体が容易に開封してしまうこと、特に幼児等による開封を防止できるようにした閉蓋具付き容器を創出することを課題とする。
【課題を解決するための手段】
【０００７】
上記課題を解決するための手段のうち、本発明の主たる構成は、
開口部の外縁に沿ってフランジが形成された容器本体と、このフランジに組み付く支持
枠と、この支持枠に組み付く外縁部を有して開口部を閉塞する蓋体とを備える閉蓋具付き
容器であって、
蓋体の外縁部を、支持枠の第１上面壁に載置される第２上面壁と、この第２上面壁から
容器本体の内側に垂下設されて支持枠の第１内周壁に接する第２内周壁と、第２上面壁か
ら容器本体の外側に垂下設されて支持枠の第１外周壁に接する第２外周壁とを有して形成
し、第１内周壁は弾性変形可能に形成され、
第２外周壁に、第１外周壁の下端近傍の位置において第２外周壁の外方向及び内方向に
反転変形する係止片を設け、内方向に反転変形した係止片で第２外周壁の下端を係止可能
としたことを特徴とする、と云うものである。
【０００８】
本発明の主たる構成では、係止片が反転変形する構成としたことにより、係止片を周壁から離れる外方向に突出させた係止解除状態では蓋体を開封することができ、この状態から反転変形させた係止可能状態とすることにより、蓋体の開封を防止することができる。しかも係止可能状態では、係止片が蓋体の下に隠れて目立たなくすることができる。
【０００９】
また本発明の他の構成は、上記発明において、係止片は、帯状に延びる係止片本体の両端部が第２外周壁に一体に連結されると共に中央部が凸状に湾曲形成されており、両端部を起点として係止片本体が反転変形するとの構成を加えたものである。
【００１０】
上記構成では、簡単な構成で操作性に優れると共に、係止可能状態と係止解除状態とを確実に設定することができる係止片を得ることができる。
【００１１】
また本発明の他の構成は、上記いずれかの発明において、蓋体が支持枠に対してヒンジを介して連結されるとの構成を加えたものである。
【００１２】
上記構成では、蓋体と支持枠とを一体に形成することが可能となり、製造コストの低減を図ることが可能となる。
【００１３】
また本発明の他の構成は、上記の請求項１又は２に記載の発明において、係止片を、蓋体を構成する第２外周壁上の対称となる位置に形成したとの構成を加えたものである。
【００１４】
上記構成では、特にヒンジを有しない構成の場合において、蓋体が容易に開封されないようにすることが可能となる。
【００１５】
また本発明の他の構成は、上記の請求項３記載の発明において、係止片を、ヒンジと反対側の位置に形成したとの構成を加えたものである。
【００１６】
上記構成では、特にヒンジを有する構成の場合においる蓋体の容易な開封を防止し得る。
【００１７】
また本発明の他の構成は、上記の請求項１乃至３記載のいずれかに記載の発明において、係止片を、蓋体の角部の位置に形成したとの構成を加えたものである。
【００１８】
上記構成では、第２外周壁から外側に突出する係止片の突出量を少なくすることにより、係止片の存在をより目立たなくすることを達成し得る。
【００１９】
また本発明の他の構成は、上記いずれかに記載の発明に、支持枠の第１内周壁を二重壁構造としたとの構成を加えたものである。
【００２０】
上記構成では、蓋体１を閉じたときに、支持体側の内側内周壁と蓋体側の第２内周壁との間のシール性を高めることを達成し得る。
【発明の効果】
【００２１】
本発明は、上記した構成となっているので、以下に示す効果を奏する。
本発明の主たる構成においては、係止片を反転変形させるだけで蓋体の開封を確実に防止することができると共に、係止片が蓋体の下に隠れて目立たなくすることができるため、幼児等による蓋体の開封を防止することができる。
また蓋体の開封を防止することが可能となるため、幼児等が内容物を誤飲するおそれを抑制することができる。
【００２２】
さらには蓋体のシール性を高めることができるため、容器内に収納されている紛体状の洗剤などが湿気によって固形化することや内容物が湿気により変質することなどを抑制することができる。
【図面の簡単な説明】
【００２３】
【図１】本発明の第１実施例として閉蓋具付き容器を正面方向から示す半断面図である。
【図２】図１に示す閉蓋具付き容器の開蓋状態を示す平面図である。
【図３】図１のＩＩＩ−ＩＩＩ線における縦断面図である。
【図４】Ａは図３のＩＶ部における拡大図に相当すると共に閉蓋状態において係止片を係止可能状態とした様子を示す縦断面図、ＢはＡの平面図である。
【図５】Ａは図３のＩＶ部における拡大図に相当すると共に閉蓋状態において係止片を係止解除状態とした様子を示す縦断面図、ＢはＡの平面図である。
【図６】本発明の第２実施例として閉蓋具付き容器の閉蓋状態を示す平面図である。
【図７】図６のＶＩＩ−ＶＩＩ線矢視方向における部分拡大縦断面図である。
【発明を実施するための形態】
【００２４】
以下、本発明の実施の形態について図面を参照しつつ説明する。
図１乃至図５に第１実施例として示す閉蓋具付き容器は、合成樹脂を射出成形することにより形成されたものであり、開口部２Ａの外縁に沿ってフランジ５が形成された有底角筒状（箱型）の容器本体２と、フランジ５に組み付く支持枠１１と、この支持枠１１に組み付いて開口端２Ａを全体的に閉塞する蓋体１とを有して構成される。このような閉蓋具付き容器には、例えば粉体状に形成した又はフィルムによって覆われた液体を略ボール状に形成した洗剤等の内容物４０が収納される。
【００２５】
図４Ａに示すように、支持枠１１は、容器本体２の上縁部に断面逆Ｌ字状に形成されたフランジ５の上面に接する第１上面壁１１ｂと、この第１上面壁１１ｂから容器本体２の内側に垂下設されて容器本体２の周壁３に接する第１内周壁１１ａと、第１上面壁１１ｂから容器本体２の外側に垂下設される第１外周壁１１ｃとを有して形成されている。このような第１内周壁１１ａ、第１上面壁１１ｂ及び第１外周壁１１ｃとから構成される支持枠１１はフランジ５に沿って周設されている。
【００２６】
第１上面壁１１ｂと第１外周壁１１ｃとの境目部分の複数の位置には断面逆Ｌ字状に開口する複数の切欠部１１ｅが穿設されており、この切欠部１１ｅの下方で且つ第１外周壁１１ｃの内面には内方に向かって突出する係止突起１１ｄが形成されている。
【００２７】
支持枠１１をフランジ５に組み付けると、係止突起１１ｄがフランジ５の外縁を下方に乗り越え、さらにフランジ５の下端をアンダーカット状に係止することで強固に組み付けることが可能となっている。
【００２８】
第１実施例に示す支持枠１１は、第１内周壁１１ａが外側内周壁１１ａ１と内側内周壁１１ａ２とを有し、特に内側内周壁１１ａ２が弾性に優れる二重壁構造で形成されており、蓋体１を閉じたときに、内側内周壁１１ａ２が後述する蓋体１の第２内周壁１３ａに弾性を有して密着することで高いシール性を達成することが可能となっている。
【００２９】
蓋体１の外縁部１３は、支持枠１１の第１上面壁１１ｂに載置される第２上面壁１３ｂと、この第２上面壁１３ｂから容器本体２の内側に垂下設されて支持枠１１の第１内周壁１１ａに当接する第２内周壁１３ａと、第２上面壁１３ｂから容器本体２の外側に垂下設されて支持枠１１の第１外周壁１１ｃに接する状態で対向配置される第２外周壁１３ｃとを有して形成されている。このような第２内周壁１３ａ、第２上面壁１３ｂ及び第２外周壁１３ｃとから構成される外縁部１３は支持枠１１（フランジ５）に沿って周設されている。蓋板１０は第２内周壁１３ａの下端に水平に連設されている。
【００３０】
図１に示すように、第２外周壁１３ｃの正面中央の下端の位置には帯状に切り欠かれた切除部１３ｄが形成されており、この切除部１３ｄの両縁には帯状に延びる係止片本体２０Ａを備えた係止片２０が架設されている。即ち、係止片本体２０Ａの長手方向の両端部２１は第２外周壁１３ｃに形成された切除部１３ｄの両縁に連接されているが、図４Ａ及び図４Ｂに示すように係止片本体２０Ａの上端部２３は第２外周壁１３ｃの下端から分離されており、さらに中央部２２は第２外周壁１３ｃから外方向に向かって凸状に湾曲形成されている。そして、図４Ｂ及び図５Ｂに示すように、両端部２１は肉薄状に形成されており、係止片２０は両端部２１を起点として係止片本体２０Ａが反転変形可能となっている。
なお、支持枠１１の第１外周壁１１ｃの下端は、外縁部１３の第２外周壁１３ｃの下端よりも僅かに下方に突出した状態にある。
【００３１】
係止片２０は、係止片本体２０Ａの中央部２２を第２外周壁１３ｃから外方向に向かって湾曲凸状に突出させたのが係止解除状態であり（図４Ａ及び図４Ｂ参照）、この状態から中央部２２を押圧し、係止片本体２０Ａを第２外周壁１３ｃから内方向に向かって湾曲凸状に反転変形させたのが係止可能状態である（図５Ａ及び図５Ｂ参照）。
【００３２】
この係止可能状態では、係止片２０の上端部２３が支持枠１１の第１外周壁１１ｃの下端を係止する状態、或いは係止しないまでも近接する状態に設定される。このため、この係止可能状態では蓋体１を持ち上げようとすると、係止片２０の上端部２３が支持枠１１の第１外周壁１１ｃの下端に当接して確実に係止されるため、蓋体１の開封を防止することが可能である。同時に、係止片本体２０Ａを外縁部１３及び支持枠１１の下に潜り込ませることにより、外部から係止片２０を目立たなくして認識できないようにすることが可能である。よって、この点においても蓋体１の容易な開封を防止することが可能となっている。
【００３３】
蓋体１を開蓋状態にするには、係止片２０を係止解除状態にした後に蓋体１を持ち上げることにより行うことができる。また係止片２０を係止可能状態から係止解除状態にするには、係止片２０を第２外周壁１３ｃの外側に反転変形させることにより行うことができる。
【００３４】
例えば、図５Ａに示すように支持枠１１の第１外周壁１１ｃと容器本体２の周壁３とが対向し合う間で且つ係止片本体２０Ａの側方の位置に指Ｆを挿入すると共に、図５Ｂに示すように挿入した指Ｆを中央部２２に向かってスライドさせると、指Ｆが係止片本体２０Ａを押圧するため、係止片２０を外方向に反転変形させることが可能である。なお、指Ｆを係止片２０の全長に亘ってスライドさせなくとも、中央部２２近傍までスライドさせれば残りの係止片本体２０Ａを自動手的に反転変形させることが可能である。
【００３５】
また係止片本体２０Ａの両側方の位置に２本の指を夫々挿入して係止片本体２０Ａの下端を左右両側から係止し、その後に周壁３から離れる外方向に引き出すことにより係止片２０を反転変形させてもよい。
【００３６】
図２及び図３に示すように、蓋体１は支持枠１１に対して肉薄状に形成されたヒンジ３０を介して一体に連結される構成であってもよいし、ヒンジを介さずに蓋体１と支持枠１１とが別体に形成されて組み付く構成であってもよい。ヒンジ３０を有する構成では、蓋体１と支持枠１１とを一体で射出成形することが可能であるため、製造コストの低減を図ることができる。
【００３７】
第２外周壁１３ｃ上における係止片２０の形成位置は、図２に示すように背面側にヒンジ３０を設けた構成の場合には、これと反対側となる正面中央の位置が好ましい。またヒンジを有しない構成の場合には、第２外周壁１３ｃ上の対称となる２ヶ所の位置が形成する構成が好ましく、例えば正面中央と背面中央の両位置、或いは左右の両側面中央の各位置に形成する構成が好ましい。
【００３８】
さらに係止片２０の形成位置は、図６及び図７に示す第２実施例のようにすることもできる。
第２実施例に示す閉蓋具付き容器が、上記第１実施例と異なる点は、上記第１実施例では係止片２０を正面中央位置の一か所に形成した構成であるのに対し、第２実施例ではヒンジ３０とは反対側に設けられた両角部に夫々形成した点、及び支持枠１１の第１内周壁１１ａを二重壁構造ではなく一重壁構造とした点にあり、その他の構成及び効果は上記第１実施例と同様である。
【００３９】
図７に示すように、第２実施例では、第２外周壁１３ｃの角部が湾曲形成されるため、係止片２０の反転可動領域を小さくすることが可能である。特に係止解除状態においては、第２外周壁１３ｃから外側に突出する係止片２０の突出量が少なくなり、係止片２０の存在をより目立たなくすることが可能である。
【００４０】
また支持枠１１の第１内周壁１１ａを一重壁構造としたことにより、高いシール性は期待できなくなるが、その代わりに第１内周壁１１ａの経時的な塑性変形に対する耐久性を高めることが可能である。
【００４１】
以上、実施例に沿って本発明の構成とその作用効果について説明したが、本発明の実施の形態は上記実施例に限定されるものではない。
例えば、上記第１実施例及び第２実施例では、有底角筒状（箱型形状）の容器本体２とこれに対応する長方形状の蓋体１とを用いて説明したが、本発明はこれに限られるものではなく、容器本体２の形状は有底円筒状や有底楕円筒状などその他の形状でもよく、これに対応する蓋体１の形状も円形や楕円状などその他の形状であってもよい。
【００４２】
また上記実施例においては容器本体２の材質については特に言及していないが、例えば合成樹脂製、紙製、金属製、陶器製、ガラス製等どのような材料で形成されていてもよい。
【００４３】
また内容物は洗剤に限られるものではなく、その他芳香剤や消臭剤などであってもよい。
【産業上の利用可能性】
【００４４】
本発明は、粉体状に形成した又はフィルムによって覆われた洗剤等を略ボール状に形成した洗剤等の内容物を収容すると共に幼児等による開封を防止するための容器分野における用途展開をさらに広い領域で図ることができる。
【符号の説明】
【００４５】
１    ：  蓋体
２    ：  容器本体
２Ａ  ：  開口部
３    ：  周壁
５    ：  フランジ
１０  ：  蓋板
１１  ：  支持枠
１１ａ：  第１内周壁
１１ｂ：  第１上面壁
１１ｃ：  第１外周壁
１１ｄ：  係止突起
１１ｅ：  切欠部
１３  ：  外縁部
１３ａ：  第２内周壁
１３ｂ：  第２上面壁
１３ｃ：  第２外周壁
２０  ：  係止片
２０Ａ：  係止片本体
２１  ：  係止片の両端部
２２  ：  係止片の中央部
２３  ：  係止片の上端部
３０  ：  ヒンジ
４０  ：  内容物
【図１】
0006365878.tif 000002
【図２】
0006365878.tif 000003
【図３】
0006365878.tif 000004
【図４】
0006365878.tif 000005
【図５】
0006365878.tif 000006
【図６】
0006365878.tif 000007
【図７】
0006365878.tif 000008